(57)【要約】【課題】  楽しみながら外国語学習ができる学習装置を実現する。【解決手段】  一連の複数の文字で構成される外国語の単語を構成する文字を問う設問を表示するともに（ａ）、この単語に対応し単語が表す事物の画像の部分を非表示にして表示し、設問への解答が正答の都度、この非表示とした部分を表示させる（ｂ）。更に、非表示とされた部分が全て表示された場合には、当該画像が所定の動作をするように特別表示制御する（ｃ）。【選択図】  図１０
2005121787.tif 000002
【特許請求の範囲】
【請求項１】
一連の複数の文字で構成される外国語の単語を記憶する単語記憶手段と、
複数のパーツ部から構成された画像を前記単語と対応付けて記憶する画像記憶手段と、
前記単語記憶手段によって記憶された単語から設問する単語を選択し、選択した単語を構成する文字を問う設問を表示制御する設問表示制御手段と、
前記設問表示制御手段によって選択された単語に対応する画像を、当該画像を構成する少なくとも一つのパーツ部を非表示にして表示制御する画像表示制御手段と、
前記設問に対する解答を入力する入力手段と、
この入力手段によって入力された解答の正誤を判定する判定手段と、
この判定手段によって正答と判定された場合に、前記画像表示制御手段によって非表示とされたパーツ部を表示させるように制御する表示変更手段と、
を備える学習装置。
【請求項２】
前記画像表示制御手段は、複数のパーツ部を非表示にして、前記選択された単語に対応する画像を表示制御する手段であり、
前記判定手段は、前記入力された文字ごとに正誤判定する手段であり、
前記表示変更手段は、前記判定手段によって正答と判定された文字が増えるに従って非表示のパーツ部を順々に表示させていくように表示制御する分割表示変更手段を有する、
ことを特徴とする請求項１に記載の学習装置。
【請求項３】
前記画像表示制御手段によって非表示とされたパーツ部の全てが前記表示変更手段によって表示制御された場合に、前記選択された単語に対応する画像を特別表示するように表示制御する特別表示制御手段、
を備えることを特徴とする請求項１又は２に記載の学習装置。
【請求項４】
ベース部とこれに付属するパーツ部との複数の部位によって構成される画像の当該各部位と、当該部位を表す外国語の単語とを対応付けて記憶する記憶手段と、
前記ベース部に対応付けられた単語に関連する単語を問う設問を表示制御するとともに、前記ベース部の画像を表示制御する設問表示制御手段と、
前記設問に対する解答となる単語を入力する入力手段と、
この入力手段によって入力された単語が、前記パーツ部に対応付けられた単語に該当するか否かを判定することにより解答の正誤を判定する判定手段と、
この判定手段によって該当すると判定された場合に、当該単語に対応するパーツ部を前記表示制御されたベース部に付属させるように表示制御する表示変更手段と、
を備えることを特徴とする学習装置。
【請求項５】
前記表示制御されたベース部に付属する全てのパーツ部が前記表示変更手段によって表示制御された場合に、当該ベース部及びパーツ部で構成される画像を特別表示するように表示制御する特別表示制御手段を備える、
ことを特徴とする請求項４に記載の学習装置。
【請求項６】
前記判定手段によって誤答と判定された場合、前記表示変更手段によって表示されたパーツ部が分散するように表示制御する分散表示制御手段を備える、
ことを特徴とする請求項１〜５の何れか一項に記載の学習装置。
【請求項７】
前記設問表示制御手段は、前記判定手段によって誤答と判定された場合、同じ設問を再度出題するように表示制御する再設問手段を有する
ことを特徴とする請求項１〜６の何れか一項に記載の学習装置。
【請求項８】
コンピュータに、
一連の複数の文字で構成される外国語の単語を記憶する単語記憶機能と、
複数のパーツ部から構成された画像を前記単語と対応付けて記憶する画像記憶機能と、
前記単語記憶機能によって記憶された単語から設問する単語を選択し、選択した単語を構成する文字を問う設問を表示制御する設問表示制御機能と、
前記設問表示制御機能によって選択された単語に対応する画像を、当該画像を構成する少なくとも一つのパーツ部を非表示にして表示制御する画像表示制御機能と、
前記設問に対する解答を入力する入力機能と、
この入力手段によって入力された解答の正誤を判定する判定機能と、
この判定機能によって正答と判定された場合に、前記画像表示制御機能によって非表示とされたパーツ部を表示させるように制御する表示変更機能と、
を実現させるプログラム。
【請求項９】
コンピュータに、
ベース部とこれに付属するパーツ部との複数の部位によって構成される画像の当該各部位と、当該部位を表す外国語の単語とを対応付けて記憶する記憶機能と、
前記ベース部に対応付けられた単語に関連する単語を問う設問を表示制御するとともに、前記ベース部の画像を表示制御する設問表示制御機能と、
前記設問に対する解答となる単語を入力する入力機能と、
この入力機能によって入力された単語が、前記パーツ部に対応付けられた単語に該当するか否かを判定することにより解答の正誤を判定する判定機能と、
この判定機能によって該当すると判定された場合に、当該単語に対応するパーツ部を前記表示制御されたベース部に付属させるように表示制御する表示変更機能と、
を実現させるためのプログラム。
【発明の詳細な説明】
【技術分野】
【０００１】
本発明は、外国語単語を学習するための学習装置等に関する。
【背景技術】
【０００２】
外国語学習を補助する学習装置が知られている。
例えば、様々な物が描かれた画像を立体表示装置に２次元的に表示させ、ユーザによって任意に選択された物を立体的に表示させるとともに、この物を表す外国語単語を音声出力する学習装置が知られている（例えば、特許文献１参照。）。
【０００３】
また、外国語単語又はセンテンスに対応するバーコードを標記した教材とバーコードリーダとを備え、ユーザによって選択・入力されたバーコードに対応する外国語単語又はセンテンスの意味を表す画像や映像を表示させ、更に該外国語単語又はセンテンスを音声出力する学習装置も有る（例えば、特許文献２参照。）。
こうした学習装置を使用することによって、ユーザは、外国語辞書や図鑑等を調べなくとも外国語単語とその意味する画像及び発音を知ることができるので効率的に自習することができる。
【０００４】
【特許文献１】特開平１０−３１４１３号公報
【特許文献２】特開２００３−２０２８００号公報
【発明の開示】
【発明が解決しようとする課題】
【０００５】
学習行為一般について言われるように、外国語学習においても如何に楽しみながら学習できるかが学習を継続するうえで重要なポイントとなる。しかし、上述のような従来の学習装置では、外国語単語やセンテンスの意味を表す画像を表示させる際に「楽しみ」を演出するための工夫が十分なされているとは言えなかった。
【０００６】
本発明はこうした点を鑑みてなされたものであり、その目的とするところは、楽しみながら外国語学習ができる学習装置を実現することである。
【課題を解決するための手段】
【０００７】
上記課題を解決するために、請求項１に記載の発明の学習装置（例えば、図１の電子辞書１２００）は、一連の複数の文字で構成される外国語の単語を記憶する単語記憶手段（例えば、図２のＲＯＭ３０、問題ＤＢ３３）と、複数のパーツ部から構成された画像を前記単語と対応付けて記憶する画像記憶手段（例えば、図２のＲＯＭ３０、画像ＤＢ３４）と、前記単語記憶手段によって記憶された単語から設問する単語を選択し、選択した単語を構成する文字を問う設問を表示制御する設問表示制御手段（例えば、図１のディスプレイ１２０２、制御ユニット１２１０、図２のＣＰＵ１０、表示部５０、図７のステップＳ２〜Ｓ４、Ｓ１０）と、前記設問表示制御手段によって選択された単語に対応する画像を、当該画像を構成する少なくとも一つのパーツ部を非表示にして表示制御する画像表示制御手段（例えば、図２のＣＰＵ１０、表示部５０、図７のステップＳ６〜Ｓ８）と、前記設問に対する解答を入力する入力手段（例えば、図１のキーボード１２２０、図２のＣＰＵ１０、操作入力部４０、図７のステップＳ１２）と、この入力手段によって入力された解答の正誤を判定する判定手段（例えば、図２のＣＰＵ１０、図７のステップＳ１４）と、この判定手段によって正答と判定された場合に、前記画像表示制御手段によって非表示とされたパーツ部を表示させるように制御する表示変更手段（例えば、図２のＣＰＵ１０、表示部５０、図７のステップＳ１８）と、を備えることを特徴とする。
【０００８】
また、請求項８に記載の発明のプログラムは、コンピュータに、一連の複数の文字で構成される外国語の単語を記憶する単語記憶機能（例えば、図２のＲＯＭ３０、問題ＤＢ３３）と、複数のパーツ部から構成された画像を前記単語と対応付けて記憶する画像記憶機能（例えば、図２のＲＯＭ３０、画像ＤＢ３４）と、前記単語記憶機能によって記憶された単語から設問する単語を選択し、選択した単語を構成する文字を問う設問を表示制御する設問表示制御機能（例えば、図２のＣＰＵ１０、表示部５０、図７のステップＳ２〜Ｓ４、Ｓ１０）と、前記設問表示制御機能によって選択された単語に対応する画像を、当該画像を構成する少なくとも一つのパーツ部を非表示にして表示制御する画像表示制御機能（例えば、図２のＣＰＵ１０、表示部５０、図７のステップＳ６〜Ｓ８）と、前記設問に対する解答を入力する入力機能（例えば、図１のキーボード１２２０、図２のＣＰＵ１０、操作入力部４０、図７のステップＳ１２）と、この入力手段によって入力された解答の正誤を判定する判定機能（例えば、図２のＣＰＵ１０、図７のステップＳ１４）と、この判定機能によって正答と判定された場合に、前記画像表示制御機能によって非表示とされたパーツ部を表示させるように制御する表示変更機能（例えば、図２のＣＰＵ１０、表示部５０、図７のステップＳ１８）と、を実現させることを特徴とする。
【０００９】
請求項１又は８に記載の発明によれば、一連の複数の文字で構成される外国語の単語を構成する文字を問う設問を表示するとともに、この単語が表す事物の画像の一部分を非表示にして表示し、設問への解答が正答の場合に、この非表示とした部分を表示させることができる。したがって、設問に正しく答えると表示されている画像を完成させることができるといった、楽しさを演出することができる。
【００１０】
より好適には、請求項２に記載の発明のように、請求項１に記載の学習装置であって、前記画像表示制御手段は、複数のパーツ部を非表示にして、前記選択された単語に対応する画像を表示制御する手段であり、前記判定手段は、前記入力された文字ごとに正誤判定する手段であり、前記表示変更手段は、前記判定手段によって正答と判定された文字が増えるに従って非表示のパーツ部を順々に表示させていくように表示制御する分割表示変更手段を有することとしても良い。
【００１１】
請求項２に記載の発明によれば、請求項１に記載の発明と同様の効果を奏するとともに、設問された単語を構成する文字を答える毎に、少しずつ非表示となっていた部分を表示させることができる。
【００１２】
請求項３に記載の発明は、請求項１又は２に記載の学習装置であって、前記画像表示制御手段によって非表示とされたパーツ部の全てが前記表示変更手段によって表示制御された場合に、前記選択された単語に対応する画像を特別表示するように表示制御する特別表示制御手段（例えば、図２のＣＰＵ１０、図４の特別表示データ３４４ｄ、図７のステップＳ２４、図１０（ｃ））、を備えることを特徴とする。
【００１３】
請求項３に記載の発明によれば、請求項１又は２に記載の発明と同様の効果を奏するとともに、非表示とされていたパーツ部を全て表示させて画像を完成させた場合に、完成した画像に特別な表示をさせることによって、より学習が楽しくなるような演出を付加できる。尚、ここで言う「特別表示」とは、例えば、画像が所定の動作をするように表示制御することや、色調の変化、輪郭線の強調といった表示形態の変更を含む意である。
【００１４】
請求項４に記載の発明の学習装置は、ベース部とこれに付属するパーツ部との複数の部位によって構成される画像の当該各部位と、当該部位を表す外国語の単語とを対応付けて記憶する記憶手段（例えば、図１３のＲＯＭ３０、画像ＤＢ３４−２）と、前記ベース部に対応付けられた単語に関連する単語を問う設問を表示制御するとともに、前記ベース部の画像を表示制御する設問表示制御手段（例えば、図１３のＣＰＵ１０、表示部５０、図１５のステップＳ１０４〜Ｓ１０８）と、前記設問に対する解答となる単語を入力する入力手段（例えば、図１３の操作入力部４０、図１５のステップＳ１１２）と、この入力手段によって入力された単語が、前記パーツ部に対応付けられた単語に該当するか否かを判定することにより解答の正誤を判定する判定手段（例えば、図１３のＣＰＵ１０、ステップＳ１１４）と、この判定手段によって該当すると判定された場合に、当該単語に対応するパーツ部を前記表示制御されたベース部に付属させるように表示制御する表示変更手段（例えば、図１３のＣＰＵ１０、表示部５０、図１５のステップＳ１１８）と、を備えることを特徴とする。
【００１５】
また、請求項９に記載の発明のプログラムは、コンピュータに、ベース部とこれに付属するパーツ部との複数の部位によって構成される画像の当該各部位と、当該部位を表す外国語の単語とを対応付けて記憶する記憶機能（例えば、図１３のＲＯＭ３０、画像ＤＢ３４−２）と、前記ベース部に対応付けられた単語に関連する単語を問う設問を表示制御するとともに、前記ベース部の画像を表示制御する設問表示制御機能（例えば、図１３のＣＰＵ１０、表示部５０、図１５のステップＳ１０４〜Ｓ１０８）と、前記設問に対する解答となる単語を入力する入力機能（例えば、図１３の操作入力部４０、図１５のステップＳ１１２）と、この入力機能によって入力された単語が、前記パーツ部に対応付けられた単語に該当するか否かを判定することにより解答の正誤を判定する判定機能（例えば、図１３のＣＰＵ１０、ステップＳ１１４）と、この判定機能によって該当すると判定された場合に、当該単語に対応するパーツ部を前記表示制御されたベース部に付属させるように表示制御する表示変更機能（例えば、図１３のＣＰＵ１０、表示部５０、図１５のステップＳ１１８）と、を実現させることを特徴とする。
【００１６】
請求項４又は９に記載の発明によれば、ベース部とこれに付属するパーツ部との複数の部位によって構成される画像のうち、ベース部を表示するとともに、このベース部に対応付けられた単語に関連する単語を問う設問を表示制御することができる。そして、正しい単語を解答すると、当該単語に対応するパーツ部を前記表示制御されたベース部に付属させるように表示制御することができる。したがって、設問に正しく答えることによって、画像を完成させることができるといった、楽しさを演出することができる。
【００１７】
請求項５に記載の発明は、請求項４に記載の学習装置であって、前記表示制御されたベース部に付属する全てのパーツ部が前記表示変更手段によって表示制御された場合に、当該ベース部及びパーツ部で構成される画像を特別表示するように表示制御する特別表示制御手段を備えることを特徴とする。
【００１８】
請求項５に記載の発明によれば、請求項４に記載の発明と同様の効果を奏するとともに、非表示とされていたパーツ部を全て表示させて画像を完成させた場合に、完成した画像に特別な表示をさせることができる。したがって、より演出効果を高めることができる。
【００１９】
請求項６に記載の発明は、請求項１〜５の何れか一項に記載の学習装置であって、前記判定手段によって誤答と判定された場合、前記表示変更手段によって表示されたパーツ部が分散するように表示制御する分散表示制御手段（例えば、図２及び図１０のＣＰＵ１０、表示部５０、図７のステップＳ２６〜Ｓ２８、図１５のステップＳ１２６〜Ｓ１２８）を備えることを特徴とする。
【００２０】
請求項６に記載の発明によれば、請求項１〜５の何れか一項に記載の発明と同様の効果を奏するとともに、誤答すると表示されている画像がパーツに分解するように表示制御することができる。したがって、より演出効果を高めることができる。
【００２１】
更には、請求項７に記載の発明のように、請求項１〜６の何れか一項に記載の学習装置であって、前記設問表示制御手段は、前記判定手段によって誤答と判定された場合、同じ設問を再度出題するように表示制御する再設問手段（例えば、図１３のＣＰＵ１０、図１５のステップＳ１３０→ステップＳ１０６）を有することとしても良い。
【００２２】
請求項７に記載の発明によれば、請求項１〜６の何れか一項に記載の発明と同様の効果を奏するとともに、誤答した場合に再度最初から解答をやり直させることができる。
【発明の効果】
【００２３】
本発明によれば、一連の複数の文字で構成される外国語の単語を構成する文字を問う設問を表示するともに、この単語が表す事物の画像の一部分を非表示にして表示し、設問への解答が正答の場合に、この非表示とした部分を表示させることによって、設問に正しく答えると表示されている画像を完成させることができるといった、楽しさを演出することができる。
【００２４】
更に、設問された単語を構成する文字を答える毎に、少しずつ非表示となっていた部分を表示させることによって、より演出効果を高めることができる。
【００２５】
また更に、非表示とされていたパーツ部を全て表示させて画像を完成させた場合に、完成した画像に特別な表示をさせることによって、より学習が楽しくなるような演出を付加できる。
【００２６】
或いは、ベース部とこれに付属するパーツ部との複数の部位によって構成される画像のうち、ベース部を表示するとともに、このベース部に対応付けられた単語に関連する単語を問う設問を表示制御し、正しい単語を解答した場合に、当該単語に対応するパーツ部を前記表示制御されたベース部に付属させるように表示制御することによって、設問に正しく答えることによって、画像を完成させることができるといった、楽しさを演出することができる。
【００２７】
更に、非表示とされていたパーツ部を全て表示させて画像を完成させた場合に、完成した画像に特別な表示をさせることによって、より演出効果を高めることができる。
【００２８】
また、誤答すると表示されている画像がパーツに分解するように表示制御することによって、より演出効果を高めることができる。又は、誤答した場合に同じ設問を再度出題するように表示制御することで、再度最初から解答をやり直させることもできる。
【発明を実施するための最良の形態】
【００２９】
本発明を実施するための最良の形態の一つとして、折りたたみ式の携帯型電子辞書（以下、単に「電子辞書」と言う。）を例に挙げて説明する。尚、本発明が適用可能なものは電子辞書に限らず、パソコンや携帯型ゲーム機、ＰＤＡ（Personal Digital Assistant）、多機能携帯電話機、多機能電卓、電子ブック装置などの電子機器においても同様に適用可能である。また、以下の説明では、英単語を学習する場合を例とするが、その他の外国語単語であっても構わないのは勿論である。
【００３０】
〔第１実施形態〕
図１は、本発明を適用した電子辞書の構成の一例を示す（ａ）斜視外観図と（ｂ）キーボード部分の拡大図である。同図に示すように、電子辞書１２００は、テキストや画像等を表示するディスプレイ１２０２と、ユーザが各種操作を入力するデバイスであるキーボード１２２０と、通信回線２に接続し外部装置とデータ通信を実現するための通信装置１２０４と、着脱式の情報記憶媒体であるメモリーカード４を装着してデータを読み書きすることのできるメモリカードリーダ１２０６と、音出力するスピーカ１２０８と、ＣＰＵ（Central  Processing  Unit）や各種ＩＣメモリを実装し演算処理によって装置を統合的に制御する制御ユニット１２１０と、電源部（図示略）とを備える。
【００３１】
キーボード１２２０は、同図（ｂ）に示すように、日本語及び外国語の文字を入力するための文字キー１２２２と、操作の確定などの指示を入力するための訳／決定キー１２２６と、入力カーソルの移動や一覧からの選択指示を入力するための方向キー１２２８と、使用する辞書ＤＢや機能を選択し呼び出すためのファンクションキー１２２９とを備える。
【００３２】
本実施形態では、ファンクションキー１２２９の「単語学習」キーが操作されると、外国語単語学習のための機能が呼び出され、ディスプレイ１２０２に外国語単語に関する設問が表示される。そして、表示された設問への解答をユーザがキーボード１２２０から入力すると、自動的に解答の正誤が判定され、判定結果に応じた種々の画像がディスプレイ１２０２に表示される。
【００３３】
図２は、本実施の形態における電子辞書１２００の機能構成の一例を示す機能ブロック図である。同図に示すように、電子辞書１２００は、ＣＰＵ１０と、ＲＡＭ（Random Access Memory）２０と、ＲＯＭ（Read Only Memory）３０と、操作入力部４０と、音出力部４２と、表示部５０と、通信部６０と、記憶媒体７２へのデータの読み書きをするための記憶媒体読取部７０とを備え、各ブロックはデータバス８０で接続されている。
【００３４】
ＣＰＵ１０は、操作入力部４０からの各種操作入力に応じて、ＲＯＭ３０から所定のプログラムを読み出して演算処理を実行することによって電子辞書１２００を統括的に制御する。具体的には、例えば、操作入力部４０から入力される操作信号等に応じてＲＯＭ３０に格納されたプログラムを読み出し、当該プログラムに従って演算処理を実行する。そして、演算処理の結果をＲＡＭ２０に保存するとともに、当該処理に基づいて表示信号を表示部５０に出力して画像を表示させる。図１では、ＣＰＵ１０はＲＡＭ２０及びＲＯＭ３０とともに制御ユニット１２１０に実装されている。
【００３５】
ＲＡＭ２０は、ＣＰＵ１０が実行する各種プログラムや、これらのプログラムの実行にかかるデータ等を一時的に保持する記憶領域を備える。本実施の形態では、特に、表示部５０に表示する設問に関連した画像データを記憶する表示画像データ記憶領域２１Ｒと、設問への解答を記憶する解答情報記憶領域２２Ｒと、設問された英単語を構成する文字と該文字に対応して表示制御される画像データとを対応づける文字対応情報を記憶する文字対応情報記憶領域２３Ｒとを有する。
【００３６】
図３は、本実施形態における文字対応情報記憶領域２３Ｒに記憶される文字対応情報２３のデータ構成の一例を示す図である。同図（ａ）に示すように、文字対応情報２３は、設問の都度生成される情報であって、設問される英単語を格納する設問単語２３１と、設問時に最初に表示される画像の識別情報を格納する第１表示画像ＩＤ２３２と、設問単語２３１を構成する文字を格納する対応文字２３３と、各対応文字２３３に対応して表示制御される画像の識別情報を格納する逐次表示画像ＩＤ２３４とを対応づけて記憶する。対応文字２３３の数は、設問単語２３１を構成する文字数に対してランダムに決定される。例えば、同図の場合、設問単語２３１の「ｃａｒ（自動車）」を構成する３文字全てを対応文字２３３としているが、１文字又は２文字を対応文字２３３に格納する場合も有りえる（同図（ｂ））。
【００３７】
図２において、ＲＯＭ３０は、各種機能をＣＰＵ１０に実現させるためのシステムプログラム３１や辞書ＤＢ（データベース）３６といった各種データを記憶している。本実施形態では特に、（１）単語学習に関する種々の機能を実現させるための単語学習プログラム３２と、（２）設問する英単語をレベル分けして登録した問題ＤＢ（データベース）３３と、（３）設問の表示に合わせて表示制御される画像データを問題ＤＢ３３に登録された英単語と対応付けて格納する画像ＤＢ３４と、（４）問題ＤＢ３３に登録された英単語を発音する音声データを格納する発音ＤＢ３５と、を記憶している。
【００３８】
図４は、本実施形態における画像ＤＢ３４のデータ構成の一例を示す図である。画像ＤＢ３４は、問題ＤＢ３３に登録されている英単語に対応する見出語３４１毎に、該見出語３４１の英単語が意味する事物の画像データを対応付けて格納している。画像データは、実写の画像でも良いしイラストやＣＧなど適宜設定して構わない。
【００３９】
画像データは、見出語３４１の意味する事物の輪郭・概形を表して設問時に最初に表示されるベース画像と、このベース画像に付属し該事物の細部を表現する部分に当るパーツ画像との、大きく二つに分けられている。すなわち、ベース画像にパーツ画像が付属するように表示されて、対応する見出語３４１の英単語が意味する事物の画像が完成する。
【００４０】
各ベース画像３４３ｂは、画像ＩＤ３４３ａと、ベース画像３４３ｂの表示位置情報３４３ｃと、設問が正解した場合に特別表示を実現させるための特別表示データ３４３ｄと、を対応付けて格納している。特別表示データ３４３ｄは、例えばベース画像３４３ｂが所定の動作をするように表示制御するための情報である。具体的には、振動の周期、アニメーションさせるためのモーションデータ、背景に表示させる画像データ、点滅や色反転などの表示形態の変更情報、表示するロゴやマークの情報であり、適宜設定して構わない。
【００４１】
各パーツ画像３４４ｂは、画像ＩＤ３４４ａと、当該パーツ画像をベース画像の何処に表示させるかを定義する表示位置情報３４４ｃと、設問が正解した場合に特別表示を実現させるための特別表示データ３４４ｄと、当該パーツ画像を表す英単語である対応単語３４４ｅとを対応付けて格納している。
特別表示データ３４４ｄは、各パーツ画像が動作するように表示制御させるための情報である。例えば同図の場合、画像ＩＤ「ＣＡＲ０１」のヘッドライトには、ライトが点灯している差替画像、或いはライト部分を点灯色に変化させるための色情報などが対応付けられて格納される。また、画像ＩＤ「ＣＡＲ０２」〜「ＣＡＲ０４」のタイヤには、所定軸周りに回転させるためのモーションデータや、動作線（タッチ線）が対応付けられて格納される。また、対応単語３４４ｅには、本実施形態では、各パーツ部を表す英単語が格納される。
【００４２】
図５は、本実施形態における問題ＤＢ３３のデータ構成の一例を示す図である。同図に示すように、設問される英単語（設問単語）が分類されて格納されている。本実施形態では、学習者の年齢や学習進度に応じて覚えるべき単語を各レベルに分類しているが、英単語が表す事物の学術的分類であっても良いし、分類されている英単語で文章ができるように構成されているとしてもよい。また、ディスプレイ１２０２に設問を表示するためのタイトルや設問文のテキストなども適宜問題ＤＢ３３に格納するものとする。
【００４３】
図６は、本実施形態における発音ＤＢ３５のデータ構成の一例を示す図である。同図に示すように、発音ＤＢ３５は問題ＤＢ３３に登録されている英単語３５１と、それを発音する音声データ３５２とを対応づけて格納している。
【００４４】
図２において、操作入力部４０は、例えば、ボタンスイッチやレバー、ダイヤル、マウス、キーボードによって実現され、文字や各種操作を入力し、操作入力信号をＣＰＵ１０に出力する。操作入力部４０は、図１ではキーボード１２２０に該当する。
【００４５】
音出力部４２は、例えばスピーカやヘッドホンなどによって実現され、操作音や英単語の発音を音出力する。図１では、スピーカ１２０８がこれに該当する。
【００４６】
表示部５０は、ＣＰＵ１０から入力される表示信号に基づいて文字や画像を表示することのできる表示装置であって、例えばＬＣＤ（Liquid Crystal Display）やＥＬＤ（Electronic Luminescent Display）等で実現される。図１では、ディスプレイ１２０２が該当する。
【００４７】
通信部６０は、通信回線２に接続して外部装置６２とのデータ通信を行う。例えば、Ｂｌｕｅｔｏｏｔｈ（登録商標）やＩｒＤＡ及び携帯電話網の基地局と通信するための通信モジュール、モデム、ＴＡ、有線用の通信ケーブルのジャック、制御回路によって実現される。図１では、通信装置１２０４がこれに該当する。
【００４８】
記憶媒体読取部７０は、例えば、ＩＣメモリカードやＣＤ−ＲＯＭ、ＭＯ、ＤＶＤ−ＲＡＭやＤＶＤ−ＲＯＭ、ＦＤ（登録商標）、ハードディスクなどの記憶媒体７２にデータを読み書きする。図１ではメモリカードリーダ１２０６が記憶媒体読取部７０に該当し、メモリーカード４が記憶媒体７２に該当する。
【００４９】
尚、ＲＡＭ２０及びＲＯＭ３０に記憶されたプログラムやデータ等は、その一部若しくは全部を、サーバ等の外部機器から通信回線２を介して通信部６０で受信してＲＡＭ２０や記憶媒体７２に記憶する構成としても良い。また、上記プログラムを、通信回線２を介してサーバ等から受信してインストールする、或いは記憶媒体７２からインストールする構成としても良い。
【００５０】
[処理の流れの説明]
次に、本実施の形態における処理について説明する。ここで示される処理は、ＣＰＵ１０が、システムプログラム３１及び単語学習プログラム３２を読み出して実行することによって実現される。
【００５１】
図７は、本実施形態における単語学習に係る処理の流れを説明するためのフローチャートである。同図に示すように、先ず設問レベルを選択する（ステップＳ２）。具体的には、問題ＤＢ３３の分類に基づいてディスプレイ１２０２に所定の選択画面（後述する図９（ａ）参照）を表示させて、ユーザが学習したいレベルをキーボード１２２０から入力する。
【００５２】
設問レベルが選択されたならば、ＣＰＵ１０は、問題ＤＢ３３を参照して選択されたレベルに分類されている設問単語からランダムに何れか一つを選択する（ステップＳ４）。そして、この設問単語について文字対応情報生成処理を実行し、設問単語を構成する文字にパーツ画像を対応づける（ステップＳ６）。
【００５３】
図８は、本実施形態における文字対応情報生成処理の流れを説明するためのフローチャートである。文字対応情報生成処理では、先ず選択された設問単語を文字対応情報２３の設問単語２３１に格納し（ステップＳ４０）、画像ＤＢ３４を参照して当該設問単語を見出語３４１とするベース画像３４３ｂの画像ＩＤ３４３ａを第１表示画像ＩＤ２３２に格納する（ステップＳ４２）。
【００５４】
次に、設問単語を構成する文字の中から、１文字を答えさせるための解答箇所を構成文字数を最大値としてランダム数選択し設定する（ステップＳ４４）。例えば、設問単語が「ｃａｒ」の場合、構成文字数は「３」なので、最大３箇所まで解答箇所が設定される。解答箇所が１箇所の場合は「ｃ」「ａ」「ｒ」の内２つが表示され、１つを設問で問うことになる。解答箇所が３箇所の場合は何れの文字も表示されず、３文字を１文字ずつ設問で問うことになる。
【００５５】
次いで、解答箇所に位置する文字を文字対応情報２３の対応文字２３３に格納し（ステップＳ４６）、選択された英単語を見出語３４１とするパーツ画像３４４ｂを対応文字２３３に対応づけその画像ＩＤを逐次表示画像ＩＤ２３４に格納する（ステップＳ４８）。ここでの対応づけは、一対一に限らず一対多の関係でも良いし、対応付けられるパーツ画像３４４ｂの登録順としても良いし、ランダムに対応付けるとしても構わない。
そして、設問単語の文字とパーツ画像とを対応づけたならば、文字対応情報生成処理を終了する。
【００５６】
図７において、文字対応情報生成処理を終了したならば、文字対応情報２３の第１表示画像ＩＤ２３２で識別されるベース画像３４３ｂを表示制御するとともに（ステップＳ８）、設問単語２３１を構成する文字を問う設問を表示制御する（ステップＳ１０）。具体的には、ステップＳ４０で解答箇所が設定された文字を非表示とする解答欄を設け、該解答欄を穴埋めする形式の設問をディスプレイ１２０２に表示する（後述する図９（ｂ）参照）。
【００５７】
ここで、ユーザは、ディスプレイ１２０２に表示された設問に答える。この段階でディスプレイ１２０２に表示されている画像はベース画像だけであって、設問されている英単語が表す事物の画像は未完成の状態となっている。ユーザは表示されているベース画像から設問されている英単語を想像し、そのスペルを完成させるように解答を入力する（ステップＳ１２）。
【００５８】
本実施形態では、入力された解答は１文字ずつ判定される。入力された文字が設問単語２３１の文字に含まれている場合（ステップＳ１４；ＹＥＳ）、この文字に対応づけられているパーツ画像３４４ｂが未表示か否かを判定する（ステップＳ１６）。
【００５９】
未表示の場合には（ステップＳ１６；ＮＯ）、当該パーツ画像３４４ｂを、表示位置情報３４４ｃにもとづいて、既に表示されているベース画像３４３ｂ上の所定位置に表示する（ステップＳ１８）。すなわち、正しい文字を解答すると、設問単語を表す事物の画像のパーツ画像が追加表示されることになる。
次いで、パーツ画像３４４ｂの全てが表示位置情報３４４ｃで示された位置（当該パーツ画像３４４ｂの適当な位置）に表示されているか否かを判定する（ステップＳ２２）。
表示されていないと判定された場合は（ステップＳ２２；ＮＯ）、まだ未解答又は未正答の解答箇所が有ると判断してステップＳ１２に移行し、更に解答を受け付ける。一方、全てが表示位置情報３４４ｃで示された位置に表示されたと判定された場合（ステップＳ２２；ＹＥＳ）、ＣＰＵ１０は、設問単語２３１を表す事物の画像が完成したと判断する。そして、特別表示データ３４３ｄ，３４４ｄに従って当該画像を特別表示するとともに、設問単語に対応する音声データ３５２を発音ＤＢ３５から読み出し、スピーカ１２０８から音出力させる（ステップＳ２４）。したがって、ユーザは設問された英単語を構成する文字全てを正しく答えることができたならば、単に設問単語を表す画像を見ることができるだけでなく、その画像が動作するように特別に表示されるのを楽しむことができる。
【００６０】
ユーザによって入力された文字が設問単語２３１の文字に含まれていない場合は（ステップＳ１４；ＮＯ）、ＣＰＵ１０はパーツ画像３４４ｃが既に表示されているか否かを判定し、表示されている場合（ステップＳ２６；ＹＥＳ）、表示されているパーツ画像３４４ｃを分散させるように移動表示して、あたかも表示されている事物が分解して壊れるように表示させる（ステップＳ２８）。これによって、ユーザを楽しませることができる。そして、解答箇所をクリアして（ステップＳ３０）、ステップＳ１２に移行しユーザに改めて解答を入力させる。
【００６１】
ステップＳ２８において、パーツ部が分散するように表示制御された状態はそのまま維持され、ユーザが改めて入力した文字が正答と判定された場合（ステップＳ１４；ＹＥＳ）、当該文字に対応づけられているパーツ画像が既に表示されている場合（ステップＳ１６；ＹＥＳ）、すなわち分散された状態で表示されている場合には、当該パーツ画像を表示位置情報３４４ｃの示す正規の表示位置に再表示させる（ステップＳ２０）。すなわち、一旦壊れるように分散したパーツが再び組立されるように表示させて、ユーザを楽しませる。
【００６２】
そして、設問単語２３１の画像の全パーツ画像が表示されたならば（ステップＳ２２；ＹＥＳ）、特別表示データ３４３ｄ，３４４ｄに基づいて該画像が所定の動作をするように表示制御する（ステップＳ２４）。
【００６３】
[表示画面の説明]
図９〜図１０は、本実施形態における画面表示例を示す図であって、設問レベルの選択から設問の正解に至るまでを示している。
図９（ａ）は、設問レベルの選択画面の一例を示している。同図に示すように、ディスプレイ１２０２には、タイトルとレベルの選択部Ｐ１が表示される（ステップＳ２に該当。）。ここで選択可能に表示されるレベルは、問題ＤＢ３３の分類に基づく。例えば、ユーザが方向キー１２２８で上下を入力すると設問のレベルが選択表示され、訳／決定キー１２２６を押下して選択を決定する。
【００６４】
同図（ｂ）は、設問の最初に表示される画面の一例を示している。ディスプレイ１２０２には、画像表示欄Ｐ２内に第１表示画像ＩＤ２３２で識別されるベース画像Ｐ３が表示されるとともに解答欄Ｐ４が表示される（ステップＳ８，Ｓ１０に該当。）。本実施形態では、設問単語「ｃａｒ」を構成する３文字全てに解答個所が設定されているので、解答欄Ｐ４はそれぞれ１文字入力することのできる空欄、すなわちサブ解答欄Ｐ４ａ，Ｐ４ｂ，Ｐ４ｃを有するように表示制御される。例えば、３文字のうち２つに解答箇所が設定された場合には、同図（ｃ）のように、解答箇所が設定されなかった１文字については設問単語の文字（この場合「ｃ」）を表示し、解答箇所を空欄のサブ解答欄とする。尚、本実施形態では、解答を入力することのできるサブ解答欄の位置は、文字が正答と判定されるたびに左から右に順に自動的に移動するものとするが、ユーザが任意に選択できる構成としても良い。
【００６５】
図１０（ａ）は、サブ解答欄Ｐ４ａに「ｃ」を入力した場合の一例を示している。この場合、「ｃ」は正答と判断され、文字対応情報２３において「ｃ」に対応付けられているヘッドライトのパーツ画像Ｐ８が、適切な位置に追加表示される（ステップＳ１２〜Ｓ１８に該当。）。
【００６６】
次いで、サブ解答欄Ｐ４ｂに次の文字「ａ」を入力すると、同図（ｂ）に示すように、「ａ」は正答と判断され、文字対応情報２３の対応文字２３３において「ａ」に対応付けられている３つのタイヤのパーツ画像Ｐ５〜Ｐ７が、それぞれ適切な位置に追加表示される。
【００６７】
更に、サブ解答欄Ｐ４ｃに３つ目の文字「ｒ」を入力すると、同図（ｃ）に示すように、設問に正解したと判定され、文字対応情報２３の対応文字２３３において「ｒ」に対応付けられているサイドミラーのパーツ画像Ｐ１０とドアハンドルのパーツ画像Ｐ１１とが、それぞれ適切な位置に追加表示される。そして更に画像表示欄Ｐ２では特別表示データに基づいて、完成した画像が動作するように表示される。同図（ｃ）では、背景が表示されて、自動車のヘッドライトが点灯しタイヤが回転しながら移動するように表示される。また、特別表示に合わせて設問単語「ｃａｒ」が音声出力される（ステップＳ２２；ＹＥＳ、Ｓ２４に該当）。
【００６８】
図１１は、間違った文字を入力した場合の画面表示例を示す図である。同図（ａ）は「ｃ」「ａ」まで正しく文字を入力した状態を示している。画像表示欄Ｐ２内には、ベース画像Ｐ３に加えてヘッドライトのパーツ画像Ｐ８と、タイヤのパーツ画像Ｐ５〜Ｐ７とがそれぞれ適切な位置に表示されている。
【００６９】
同図（ｂ）は、サブ解答欄Ｐ４ｃに間違って「ｍ」を入力した場合を示している。「ｍ」は誤答と判定され、適切な位置に表示されていたヘッドライトのパーツ画像Ｐ８と、タイヤのパーツ画像Ｐ５〜Ｐ７とは、あたかもバラバラに分解されたように分散した位置に表示される（ステップＳ２６；ＹＥＳ、Ｓ２８に該当。）。「がらがら」といった効果音とともに段階的に移動させるとより好適である。
【００７０】
同図（ｃ）は、パーツ画像Ｐ５〜Ｐ８が分散して表示された状態から、再度解答を入力した場合をしめしている。画像表示欄Ｐ２内はそのままの状態で、解答欄Ｐ４は一旦クリアされてから、改めてサブ解答欄Ｐ４ａに「ｃ」が入力されている。「ｃ」は正答と判断され、文字対応情報２３において「ｃ」に対応付けられているヘッドライトのパーツ画像Ｐ８が、あたかも再組立されるように適切な位置に再配置される（ステップＳ１６；ＹＥＳ、Ｓ２０に該当。）。
【００７１】
以上の処理によって、単に、設問の単語が意味する事物の画像を表示するだけでなく、設問に解答するために１文字入力する毎に正答又は誤答に応じて該画像が組み上がり、或いはバラバラになるような変化の有る表示制御が可能となり、「楽しさ」をもたらす演出を付加することができる。したがって、ユーザはより楽しく学習を進めることができる。
【００７２】
尚、間違った文字を入力した場合には、パーツ画像を分散させずに、最初から解答をやりなおさせる構成としても良い。例えば、図１２（ａ）の状態からサブ解答欄Ｐ４ｃに間違った文字「ｍ」を入力したならば、同図（ｂ）に示すように、ステップＳ２６とＳ２８を省略して、解答欄Ｐ４をクリアして設問の初期状態に戻したのち（ステップＳ３０に該当）、ステップＳ８に戻って画面表示欄Ｐ２の表示を設問最初の状態とする。
【００７３】
〔第２実施形態〕
次に、本発明を適用した第２実施形態について説明する。第１実施形態では単語を構成する文字を問う設問をする構成としたが、本実施形態ではベース画像に関連する他の単語をユーザに想像させて答えさせる構成としている。尚、本実施形態は、第１実施形態と同様の構成要素によって実現可能であり、同じ符号をつけ説明を省略する。
【００７４】
図１３は、本実施形態における機能構成の一例を示す機能ブロック図である。同図に示すように、本実施形態では、第１実施形態のＲＯＭ３０は、単語学習プログラム３２に相当する単語学習プログラム３２−２と、画像ＤＢ３４に相当する画像ＤＢ３４−２を記憶している。
【００７５】
図１４は、本実施形態における画像ＤＢ３４−２の一例を示す図であって、見出語が「ｆａｃｅ（顔）」の場合を示している。この場合、ベース画像３４３ｂには顔の輪郭を表す画像が設定されており、パーツ画像３４４ｂには、目、口、耳、眉毛、髪などの画像が設定されている。そして、パーツ画像３４４ｂにはそれぞれ対応単語３４４ｅが対応づけられている。例えば、見出語が「ｈｏｍｅ（家）」の場合では、ベース画像３４３ｂは家の輪郭を表す画像が設定され、パーツ画像３４４ｂは屋根、壁、煙突、ベランダなどの画像が設定される。
【００７６】
図１５は、本実施形態における単語学習処理の流れを説明するためのフローチャートである。ここで示される処理は、ＣＰＵ１０が、システムプログラム３１及び単語学習プログラム３２−２を読み出して実行することによって実現される。
【００７７】
同図に示すように、先ず設問レベルを選択する（ステップＳ１０２）。具体的には、問題ＤＢ３３の分類に基づいてディスプレイ１２０２に所定の選択画面を表示させて、ユーザが学習したいレベル（分類）をキーボード１２２０から入力する。
【００７８】
設問レベルが選択されたならば、ＣＰＵ１０は問題ＤＢ３３から選択されたレベルに分類されている設問単語からランダムに何れか一つを選択し（ステップＳ１０４）、画像ＤＢ３４−２を参照して、ステップＳ１０４で選択された設問単語を見出語とする画像のベース画像３４３ｂをディスプレイ１２０２に表示させる（ステップＳ１０６）。
【００７９】
そして、ベース画像３４３ｂでその輪郭・概形が表現された事物において、まだ表示されていない部分（すなわちパーツ画像に相当する部分）の単語を問う設問を表示する（ステップＳ１０８）。また、解答の目安となるように、当該設問単語を見出語とする画像のパーツ画像のうち表示されていないものの数をディスプレイ１２０２に表示させる（ステップＳ１１０）。
【００８０】
ユーザによって解答となる単語が入力されたならば（ステップＳ１１２）、ＣＰＵ１０は入力された単語に対応するパーツ画像３４４ｂが、画像ＤＢ３４−２を参照して設問単語を見出語とする画像に含まれているか否かを判定する（ステップＳ１１４）。具体的には、入力された単語を対応単語３４４ｅと比較する。
【００８１】
入力された単語に対応するパーツ画像３４４ｂが含まれていると判定された場合（ステップＳ１１４；ＹＥＳ）、更に、表示画像データ記憶領域２１Ｒを参照して当該パーツ画像３４４ｂが既に表示されているか否かを判定する（ステップＳ１１６）。
【００８２】
入力された単語に対応するパーツ画像３４４ｂが、まだ未表示の場合には（ステップＳ１１６；ＹＥＳ）、対応する表示位置情報３４４ｃに基づいて既に表示されているベース画像３４３ｂ上に、当該パーツ画像３４４ｂを重ねて表示させる（ステップＳ１１８）。当該パーツ画像３４４ｂが既に表示されている場合には（ステップＳ１１６；ＮＯ）、既に解答済みである旨ディスプレイ１２０２に表示させる（ステップＳ１２０）。
【００８３】
次に、設問単語を見出語とする画像の全パーツ画像３４４ｃが表示されたか否かを判定する（ステップＳ１２２）。
全パーツ画像３４４ｃが表示されていない場合（ステップＳ１２２；ＮＯ）、まだ解答すべき単語が有ると判断し、ステップＳ１１０に戻って未表示のパーツ画像数の表示を更新し、引き続き解答を受けつける（ステップＳ１１２）。
全パーツ画像３４４ｃが表示されている場合には（ステップＳ１２２；ＹＥＳ）、ＣＰＵ１０は、設問単語２３１を表す事物の画像が完成したと判断して、特別表示データ３４３ｄ，３４４ｄに従って当該画像を特別表示するとともに、設問単語２３１に対応する音声データ３５２を読み出してスピーカ１２０８から音出力させる（ステップＳ１２４）。したがって、ユーザは設問された単語全てを正しく答えることができたならば、単に設問された単語を表す完成した画像を見ることができるだけでなく、その画像が動作するように特別に表示されるのを楽しむことができる。
【００８４】
一方、入力された単語に対応するパーツ画像３４４ｂが含まれていないと判定された場合（ステップＳ１１４；ＮＯ）、ＣＰＵ１０はパーツ画像３４４ｃが既に表示されているか否かを判定し、表示されている場合（ステップＳ１２６；ＹＥＳ）、表示されているパーツ画像３４４ｃを分散させるように移動表示して、あたかも表示されている事物が分解して壊れるように表示させる（ステップＳ１２８）。これによって、ユーザを楽しませることができる。そして、解答箇所と表示されていた画像をクリアして（ステップＳ１３０）、ステップＳ１０６に移行しユーザに最初から解答を入力させる。
尚、解答を最初からやり直させる場合、第１実施形態と同様にして、分散表示されたパーツ画像３４４ｃを再組立するように表示制御する構成としても良いのは勿論である。
【００８５】
図１６は、本実施形態における画面表示例を示す図であって、設問単語が「ｆａｃｅ」の場合を示している。同図（ａ）は、設問が表示された状態を示している（ステップＳ１０２の状態に相当）。ディスプレイ１２０２には、画像表示欄Ｐ２に設問単語を見出語とする画像のベース画像Ｐ２０が表示されるとともに、ユーザが単語を入力するための解答欄Ｐ４−２が表示される。また、まだ表示されていないパーツ画像の数を示す残数表示Ｐ９が表示される。ユーザは、残数表示Ｐ２２を見て、あと幾つ答えると良いかを知ることができる。
【００８６】
同図（ｂ）は、ユーザがキーボード１２２０から解答欄Ｐ４−２に「ｅｙｅ」と入力した場合を示している（ステップＳ２０の状態に相当）。解答「ｅｙｅ」は、見出語が「ｆａｃｅ」の画像のパーツ画像であるので（図１４参照）、「ｅｙｅ」に対応する目を表すパーツ画像Ｐ２３が、既に表示されているベース画像Ｐ２０の適当な位置に追加表示されている。そして、残数表示Ｐ２２は「１」減算されて更新表示されている。
【００８７】
同図（ｃ）は、正解時の画面表示例を示している。同図に示すように、画面表示欄Ｐ２には、ベース画像Ｐ２０及び全てのパーツ画像が表示され顔の画像が完成状態で表示されている。そして、特別表示データ３４３ｄ、３４４ｄに従って例えば微笑みの仕草をするといった動作をするように表示制御される。
【００８８】
以上の処理によって、正しい解答をする毎に“福笑い”のように画像の各部が次々に表示制御することが可能となり、解答に「楽しさ」をもたらす演出を付加することができる。したがって、ユーザはより楽しく学習を進めることができる。
【００８９】
〔変形例の説明〕
以上、本発明を適用した第１〜第２実施形態について説明したが、本発明の実施形態がこれらに限定されるものではなく、発明の趣旨を逸脱せず且つ同様の作用・効果を奏する限りにおいて、構成要素を適宜追加・変更・省略しても良い。
【００９０】
例えば、ベース画像とパーツ画像とに分けて登録し、パーツ画像を解答結果に応じて非表示の状態から表示させることで、解答に応じて次々に画像ができあがってゆくように表示制御する構成としたが、例えば図１７（ａ）に示すように、パーツ画像そのものを非表示とするのではなく、パーツ画像に相当する部分に所定の遮蔽画像Ｑを表示させることによって実質的に非表示の状態とする構成としても良い。この場合、ステップＳ８又はＳ１０８においてベース画像を表示制御する代わりに、表示位置情報３４４ｃに基づいてベース画像に遮蔽画像Ｑを重ねて表示させる。そして、パーツ画像を表示させる制御（ステップＳ１８，Ｓ１１８）の代わりに、該パーツ画像に相当する部分に表示されている遮蔽画像Ｑの表示を解除することによって実現する。
【００９１】
また、同図（ｂ）に示すように、パーツ画像に相当する部分にモザイク処理を表示させることによって、当該部分に何が写っているか分からなくする構成としても良い。この場合は、この場合、ステップＳ８又はＳ１０８においてベース画像を表示制御する代わりに、パーツ画像に相当する部分にモザイク処理を施した画像を表示させる。そして、パーツ画像を表示させる制御の代わりに、モザイク処理された部分を、モザイク処理される前の画像に表示を切り換えることで実現する。
【００９２】
また更には、同図（ｃ）及び（ｄ）に示すように、設問単語を表す事物の画像を複数のタイル状に切り分けた構成とし、このタイル状の部位を表示制御の単位としても良い。
【図面の簡単な説明】
【００９３】
【図１】本発明を適用した電子辞書の構成の一例を示す（ａ）斜視外観図と（ｂ）キーボード部分の拡大図。
【図２】第１実施の形態における電子辞書の機能構成の一例を示す機能ブロック図。
【図３】第１実施形態における文字対応情報記憶領域に記憶される文字対応情報のデータ構成の一例を示す図。
【図４】第１実施形態における画像ＤＢのデータ構成の一例を示す図。
【図５】第１実施形態における問題ＤＢのデータ構成の一例を示す図。
【図６】第１実施形態における発音ＤＢのデータ構成の一例を示す図。
【図７】第１実施形態における単語学習に係る処理の流れを説明するためのフローチャート。
【図８】第１実施形態における文字対応情報生成処理の流れを説明するためのフローチャート。
【図９】第１実施形態における画面表示例を示す図であって、レベルの選択から設問に正解するまでを示す図。
【図１０】図９から続く、第１実施形態における画面表示例を示す図。
【図１１】第１実施形態において間違った文字を入力した場合の画面表示例を示す図。
【図１２】第１実施形態において間違った文字を入力した場合の処理の変形例を説明するための画面表示例を示す図。
【図１３】第２実施形態における機能構成の一例を示す機能ブロック図。
【図１４】第２実施形態における画像ＤＢの一例を示す図であって、見出語が「ｆａｃｅ（顔）」の場合を示す。
【図１５】第２実施形態における単語学習処理の流れを説明するためのフローチャート。
【図１６】第２実施形態における画面表示例を示す図。
【図１７】画像の一部を非表示とする変形例を説明するための画面表示例を示す図。
【符号の説明】
【００９４】
１０  ＣＰＵ
２０  ＲＡＭ
２１Ｒ  表示画像データ記憶領域
２２Ｒ  解答情報記憶領域
２３Ｒ  文字対応情報記憶領域
２３  文字対応情報
２３１  設問単語
２３２  第１表示画像ＩＤ
２３３  対応文字
２３４  逐次表示画像ＩＤ
３０  ＲＯＭ
３２  単語学習プログラム
３３  問題ＤＢ
３４  画像ＤＢ
３４１  見出語
３４３ｂ  ベース画像
３４３ｄ  特別表示データ
３４４ｂ  パーツ画像
３４４ｃ  表示位置情報
３４４ｄ  特別表示データ
３４４ｅ  対応単語
３５  発音ＤＢ
Ｐ３、Ｐ２０  ベース画像
Ｐ５〜Ｐ８、Ｐ２３  パーツ画像
【図１】
2005121787.tif 000003
【図２】
2005121787.tif 000004
【図３】
2005121787.tif 000005
【図４】
2005121787.tif 000006
【図５】
2005121787.tif 000007
【図６】
2005121787.tif 000008
【図７】
2005121787.tif 000009
【図８】
2005121787.tif 000010
【図９】
2005121787.tif 000011
【図１０】
2005121787.tif 000012
【図１１】
2005121787.tif 000013
【図１２】
2005121787.tif 000014
【図１３】
2005121787.tif 000015
【図１４】
2005121787.tif 000016
【図１５】
2005121787.tif 000017
【図１６】
2005121787.tif 000018
【図１７】
2005121787.tif 000019